(57)【要約】【課題】従来のデジタル放送受信機では、デコーダを一つしか持たないため、階層切換の際に一旦映像・音声デコードを停止させる必要があり、切換判定直後に切換前のデコードを停止／出力を停止してから、所定の映像・音声データを受信、デコードし、ＰＴＳに従って出力を開始するまで、長い時間にわたって映像・音声の出力が停止されることになる、という課題があった。【解決手段】システム制御部にデコード継続判定部を含み、階層切換判定時も映像・音声のデコード、出力を停止させず、切換後の所定の映像・音声データを受信するまで、または、切換前の映像・音声データを蓄積している映像・音声バッファが空になるまで、など、従来と異なる条件まで映像・音声のデコード、出力を継続させる。  デジタル放送受信機が一つのデコーダしか持たなくても、階層切換の際に映像・音声の出力が停止される時間を短縮できる、という効果が得られる。【選択図】図１
2008278153.tif 000002
【特許請求の範囲】
【請求項１】
少なくとも２階層のサービスを持つデジタル放送を受信するデジタル放送受信部と、
前記デジタル放送受信部で受信したデジタル放送をデコードし特定の階層の映像パケットを出力するトランスポートデコード部と、
前記トランスポートデコード部から出力される映像パケットを蓄積する映像バッファと、
前記映像バッファに蓄積された映像パケットをデコードする映像デコーダと、
前記デジタル放送受信部で受信したデジタル放送の受信状態から受信する階層を判定する階層切換判定部と、
前記階層切換判定部が判定した階層に基づき、前記トランスポートデコード部が出力する映像パケットの階層を制御し、また、前記映像デコーダの動作を制御する制御手段を備え、
前記制御手段は、
前記階層切換判定部が階層の切り換えを判定した後、前記トランスポートデコード部が所定のデータを検出した際に、前記映像デコーダにおける映像パケットのデコードを停止することを特徴とするデジタル放送受信機。
【請求項２】
音声パケットを蓄積する音声バッファと、
前記音声バッファに蓄積された音声パケットをデコードする音声デコーダと、を備え、
前記トランスポートデコード部は、さらに前記デジタル放送受信部で受信したデジタル放送をデコードし特定の階層の音声パケットを前記音声バッファに出力し、
前記制御手段は
前記階層切換判定部が階層の切り換えを判定した後、前記トランスポートデコード部が所定のデータを検出した際に、前記音声デコーダにおける音声パケットのデコードを停止することを特徴とする請求項１に記載のデジタル放送受信機。
【請求項３】
前記所定のデータが、ＭＰＥＧ−２  Ｖｉｄｅｏ方式のＩフレームである、請求項１または２に記載のデジタル放送受信機。
【請求項４】
前記所定のデータが、Ｈ．２６４  ＭＰＥＧ−４  ＡＶＣ方式のＩＤＲフレームである、請求項１または２に記載のデジタル放送受信機。
【請求項５】
前記所定のデータが、ＭＰＥＧ−２  ＡＡＣ方式のＡＤＴＳヘッダである、請求項２に記載のデジタル放送受信機。
【請求項６】
少なくとも２階層のサービスを持つデジタル放送を受信するデジタル放送受信部と、
前記デジタル放送受信部で受信したデジタル放送をデコードし特定の階層の映像パケットを出力するトランスポートデコード部と、
前記トランスポートデコード部から出力される映像パケットを蓄積する映像バッファと、
前記映像バッファに蓄積された映像パケットをデコードする映像デコーダと、
前記デジタル放送受信部で受信したデジタル放送の受信状態から受信する階層を判定する階層切換判定部と、
前記階層切換判定部が判定した階層に基づき、前記トランスポートデコード部が出力する映像パケットの階層を制御し、また、前記映像デコーダの動作を制御する制御手段を備え、
前記制御手段は、
前記階層切換判定部が階層の切り換えを判定した後、前記映像バッファにおいて切り換え前の階層の映像パケットが空になった際に前記映像デコーダにおける映像パケットのデコードを停止することを特徴とするデジタル放送受信機。
【請求項７】
音声パケットを蓄積する音声バッファと、
前記音声バッファに蓄積された音声パケットをデコードする音声デコーダと、を備え、
前記トランスポートデコード部は、さらに前記デジタル放送受信部で受信したデジタル放送をデコードし特定の階層の音声パケットを前記音声バッファに出力し、
前記制御手段は、
前記階層切換判定部が階層の切り換えを判定した後、前記音声バッファにおいて切り換え前の階層の音声パケットが空になった際に前記音声デコーダにおける音声パケットのデコードを停止することを特徴とする請求項６に記載のデジタル放送受信機。
【請求項８】
少なくとも高階層及び低階層の２階層のサービスを持つデジタル放送を受信するデジタル放送受信部と、
前記デジタル放送受信部で受信したデジタル放送をデコードし、高階層及び低階層の映像パケットを出力するトランスポートデコード部と、
前記トランスポートデコード部から出力される高階層の映像パケットを蓄積する第１の映像バッファと、
前記トランスポートデコード部から出力される低階層の映像パケットを蓄積する第２の映像バッファと、
前記第１の映像バッファまたは前記第２の映像バッファに蓄積された映像パケットをデコードする映像デコーダと、
前記デジタル放送受信部で受信したデジタル放送の受信状態から受信する階層を判定する階層切換判定部と、
前記階層切換判定部が判定した階層に基づき、前記トランスポートデコード部が出力する映像パケットの階層を制御し、また、前記映像デコーダの動作を制御する制御手段を備え、
前記制御手段は、
前記階層切換判定部が階層の切り換えを判定した後、前記トランスポートデコード部が所定のデータを検出した際に、前記第１の映像バッファまたは前記第２の映像バッファ
のうち、切換前の映像バッファが空になった際に、前記映像デコーダにおける切換前の映像パケットのデコードを停止することを特徴とするデジタル放送受信機。
【請求項９】
高階層の音声パケットを蓄積する第１の音声バッファと、
低階層の音声パケットを蓄積する第２の音声バッファと、
前記第１の音声バッファまたは前記第２の音声バッファに蓄積された音声パケットをデコードする音声デコーダと、を備え、
前記トランスポートデコード部は、さらに前記デジタル放送受信部で受信したデジタル放送をデコードし、高階層の音声パケット及び低階層の音声パケットをそれぞれ前記第１の音声バッファ及び前記第２の音声バッファに出力し、
前記制御手段は、
前記階層切換判定部が階層の切り換えを判定した後、前記トランスポートデコード部が所定のデータを検出した際に、前記第１の音声バッファまたは前記第２の音声バッファのうち、切換前の音声バッファが空になった際に、前記音声デコーダにおける切換前の音声パケットのデコードを停止することを特徴とする請求項８に記載のデジタル放送受信機。
【請求項１０】
前記所定のデータが、ＭＰＥＧ−２  Ｖｉｄｅｏ方式のＩフレームである、請求項８または９に記載のデジタル放送受信機。
【請求項１１】
前記所定のデータが、Ｈ．２６４  ＭＰＥＧ−４  ＡＶＣ方式のＩＤＲフレームである、請求項８または９に記載のデジタル放送受信機。
【請求項１２】
前記所定のデータデータが、ＭＰＥＧ−２  ＡＡＣ方式のＡＤＴＳヘッダである、請求項９に記載のデジタル放送受信機。
【請求項１３】
少なくとも高階層及び低階層の２階層のサービスを持つデジタル放送を受信するデジタル放送受信部と、
前記デジタル放送受信部で受信したデジタル放送をデコードし、高階層及び低階層の映像パケットを出力するトランスポートデコード部と、
前記トランスポートデコード部から出力される高階層の映像パケットを蓄積する第１の映像バッファと、
前記トランスポートデコード部から出力される低階層の映像パケットを蓄積する第２の映像バッファと、
前記第１の映像バッファまたは前記第２の映像バッファに蓄積された映像パケットをデコードする映像デコーダと、
前記デジタル放送受信部で受信したデジタル放送の受信状態から受信する階層を判定する階層切換判定部と、
前記階層切換判定部が判定した階層に基づき、前記トランスポートデコード部が出力する映像パケットの階層を制御し、また、前記映像デコーダの動作を制御する制御手段を備え、
前記制御手段は、
前記階層切換判定部が階層の切り換えを判定した後、前記トランスポートデコード部が所定のデータを検出し、所定の時間が経過した後に、前記映像デコーダにおける切換前の映像パケットのデコードを停止することを特徴とするデジタル放送受信機。
【請求項１４】
高階層の音声パケットを蓄積する第１の音声バッファと、
低階層の音声パケットを蓄積する第２の音声バッファと、
前記第１の音声バッファまたは前記第２の音声バッファに蓄積された音声パケットをデコードする音声デコーダと、を備え、
前記トランスポートデコード部は、さらに前記デジタル放送受信部で受信したデジタル放送をデコードし、高階層の音声パケット及び低階層の音声パケットをそれぞれ前記第１の音声バッファ及び前記第２の音声バッファに出力し、
前記制御手段は、
前記階層切換判定部が階層の切り換えを判定した後、前記トランスポートデコード部が所定のデータを検出し、所定の時間が経過した後に、前記音声デコーダにおける切換前の音声パケットのデコードを停止することを特徴とするデジタル放送受信機。
【請求項１５】
前記所定の時間は、ＭＰＥＧ−２  Ｓｙｓｔｅｍ方式のＰＴＳ（Ｐｒｅｓｅｎｔａｔｉｏｎ  Ｔｉｍｅ  Ｓｔａｍｐ：表示時刻情報）である、請求項１３に記載のデジタル放送受信機。
【発明の詳細な説明】
【技術分野】
【０００１】
本発明は、デジタル放送受信機に関する。
【背景技術】
【０００２】
デジタル放送では降雨時や移動受信での受信を想定し、伝送容量が多いが伝送エラー耐性に弱い高階層サービスと、伝送容量が少ないが伝送エラー耐性に強い低階層サービスを同時に伝送する階層伝送が可能である。例としては、日本のＢＳデジタル放送や地上デジタル放送が挙げられる。
【０００３】
この階層伝送に対応したデジタル放送受信機は、受信状態が良好な場合は高階層サービスを視聴でき、受信状態が悪化した場合に低階層サービスに切換え視聴を継続することができる。
【０００４】
図８は、階層切換機能を有し、映像音声デコーダを一つしか持たない従来のデジタル放送受信機の構成図である。図８において、１００はデジタル放送受信機、１０１はデジタル放送受信部、１０２はトランスポートデコード部、１０３は映像／音声データ検出部、１０４は映像バッファ、１０５は音声バッファ、１０６は映像デコーダ、１０７は音声デコーダ、１０８は映像出力部、１０９は音声出力部、１１０は階層切換判定部、１１１はシステム制御部である。
【０００５】
図９は、従来のデジタル放送受信機が階層切換する場合の映像切換のフローチャートである。
【０００６】
図８、９を用いて、従来のデジタル放送受信機における高階層から低階層への映像の階層切換動作について説明する。
【０００７】
デジタル放送受信機１００は高階層サービスをデコードしながら（９０１）、常時デジタル放送受信部１０１で受信状態に関する情報をモニターし（９０２）、階層切換判定部１１０へ送っている。受信状態に関する情報とは、例えば、受信レベルやＣ／Ｎ比、ビットエラーレートなどが挙げられる。階層切換判定部１１０は受信状態に関する情報から受信状態が悪くなったと判定した場合（９０３）、低階層へ階層切換をするようシステム制御部１１１に指示を出す。
【０００８】
システム制御部１１１は、映像デコーダ１０６に切換前の高階層サービスの映像デコード停止を指示し、映像出力部１０８に映像出力停止を指示する（９０４）。続いて、トランスポートデコード部１０２に切換前の高階層サービスの映像パケットを出力する設定から、切換後の低階層サービスの映像パケットを出力する設定変更を指示し（９０５）、映像バッファ１０４に切換前の高階層サービスの映像データを蓄積する設定から、切換後の低階層サービスの映像データを蓄積する設定変更を指示する（９０６）。トランスポートデコード部１０２の映像／音声データ検出部１０３は、切換後の低階層サービスの映像データからＩＤＲフレームを検出した場合（９０７）、検出したことをシステム制御部１１１へ通知すると共に、ＩＤＲフレームのＰＴＳ（Ｐｒｅｓｅｎｔａｔｉｏｎ  Ｔｉｍｅ  Ｓｔａｍｐ：表示時刻情報）を映像データから取得する（９０８）。通知を受けたシステム制御部１１１は、映像デコーダ１０６に切換後の低階層サービスの映像デコード開始を指示し（９０９）、ＳＴＣ（Ｓｙｓｔｅｍ  Ｔｉｍｅ  Ｃｌｏｃｋ：システムタイムクロック）がＩＤＲフレームのＰＴＳを超えたら（９１０）、映像出力部１０８にＩＤＲフレームの映像出力開始を指示する（９１１）。その後、低階層サービスの映像デコードを継続する（９１２）。
【０００９】
広くデジタル放送で採用されているＭＰＥＧ−２  Ｓｙｓｔｅｍ方式では、映像、音声の出力タイミングを示す情報として、デジタル放送受信機の基準クロックとなるＰＣＲ（Ｐｒｏｇｒａｍ  Ｃｌｏｃｋ  Ｒｅｆｅｒｅｎｃｅ：プログラム参照クロック）、フレーム毎に映像・音声データに埋め込まれたＰＴＳが放送局から送られる。デジタル放送受信機は、受信したＰＣＲパケットの中のＰＣＲ値を内部のＳＴＣカウンタの値にコピーし、２７ＭＨｚのクロックでカウントアップしてＳＴＣを再生する。そして、ＳＴＣがフレーム毎のＰＴＳを超えた場合にそのフレームを出力することで、放送局の意図したタイミングで映像・音声を出力することが可能となる。デジタル放送ではデコーダのデコード時間を考慮し、図７（ａ）のように映像・音声データがデジタル放送受信機に到着してからＰＴＳで示された出力時刻まで、時間が空いているのが一般的である。
【００１０】
ここでは映像符号化方式として、高階層サービスではＭＰＥＧ−２  Ｖｉｄｅｏ方式、低階層サービスではＨ．２６４  ＭＰＥＧ−４  ＡＶＣ方式を用いた場合を仮定している。ＭＰＥＧ−２  Ｖｉｄｅｏ方式において、単独で映像復号化ができる映像データはＩフレームと呼ばれる。Ｈ．２６４  ＭＰＥＧ−４  ＡＶＣ方式において、同様に単独で映像復号化ができる映像データはＩＤＲフレームと呼ばれる。デジタル放送受信機は、ＩフレームやＩＤＲフレームを受信しなければ映像デコードを開始できない。
【００１１】
また、音声符号化方式として、ＭＰＥＧ−２  ＡＡＣ方式を用いた場合を仮定すると、ＭＰＥＧ−２  ＡＡＣ方式において、音声データの先頭はＡＤＴＳヘッダと呼ばれる。デジタル放送受信機は、ＡＤＴＳヘッダを受信しなければ音声デコードを開始できない。
【００１２】
上記従来例は、高階層から低階層への映像の階層切換動作に関する説明であるが、低階層から高階層への切換もＩＤＲフレームをＭＰＥＧ−２  ＶｉｄｅｏのＩフレームに置き換えれば全く同様の手順となる。さらに、音声の階層切換もＩＤＲフレームをＡＤＴＳヘッダに置き換えれば全く同様の手順となる。
【００１３】
このように、上記従来のデジタル放送受信機では、デコーダを一つしか持たないため、階層切換の際に一旦映像・音声デコードを停止させる必要があり、切換判定直後に切換前のデコードを停止、出力を停止してから（９０４）、ＩフレームやＩＤＲフレーム、ＡＤＴＳヘッダ等の所定のデータを受信、デコードし、出力を開始するまで（９１１）、映像／音声の出力が停止されることになる。
【００１４】
デジタル放送受信機には、高階層用、低階層用の二つのデコーダを持つことで、出力を切換えるだけで階層切換の時間を短縮しているものもある（例えば特許文献１参照）。
【００１５】
また、一つのデコーダで構成されるデジタル放送受信機で、ＩフレームやＩＤＲフレームを受信するまでメモリに保持してある別の映像データをＩフレームやＩＤＲフレームとして映像デコードに使用し、映像出力が停止される時間を短縮することも従来提案されている（例えば特許文献２参照）。
【特許文献１】特開２００５−２２３５４９号公報
【特許文献２】特開２００６−１７４２０９号公報
【発明の開示】
【発明が解決しようとする課題】
【００１６】
しかしながら、上記従来のデジタル放送受信機では、デコーダを一つしか持たないため、階層切換の際に一旦映像・音声デコードを停止させる必要があり、切換判定直後に切換前のデコードを停止／出力を停止してから、ＩフレームやＩＤＲフレーム、ＡＤＴＳヘッダ等の所定のデータを受信、デコードし、ＰＴＳに従って出力を開始するまで、長い時間にわたって映像・音声の出力が停止されることになる、という課題を有していた。
【００１７】
また、特許文献１に記載のデジタル放送受信機は、高階層用、低階層用の二つのデコーダを持っているため、受信機の規模が大きく高価になる、という課題を有していた。
【００１８】
さらに、特許文献２に記載のデジタル放送受信機は一つのデコーダで構成されているが、実際のＩフレームやＩＤＲフレームと異なる映像データを使用しており、これらを参照画像として映像デコードをすると結果的に乱れた映像がデコードされることになる、という課題を有していた。
【課題を解決するための手段】
【００１９】
上記課題を解決するために本発明にかかるデジタル放送受信機は、システム制御部にデコード継続判定部を含み、階層切換判定時も映像・音声のデコード、出力を停止させず、別の条件を満たすまで映像・音声のデコード、出力を継続させることを特徴とする。以下、これを第１構成とする。
【００２０】
上記の第１構成によれば、一つのデコーダしか持たなくても、階層切換の際に映像・音声の出力が停止される時間を短縮できるデジタル放送受信機を提供することが可能となる。
【００２１】
例えば、デジタル放送受信機のデコード継続判定部が映像・音声のデコード、出力停止の判定をする条件として、切換後のＩフレームやＩＤＲフレーム、ＡＤＴＳヘッダ等の所定のデータの受信することを条件とすることが好ましい。
【００２２】
また、切換前の映像・音声データを蓄積している映像・音声バッファが空になることを条件とすることも好ましい。
【００２３】
上記第１構成のデジタル放送受信機において、映像・音声データを蓄積する複数の映像・音声バッファと、システム制御部にバッファ蓄積判定部を含み、ある条件を満たすまで階層切換前と切換後の映像・音声データを同時に蓄積するように構成されていてもよい。以下、これを第２構成とする。
【００２４】
上記第２構成によれば、一つのデコーダしか持たなくても、階層切換の際に映像・音声の出力が停止される時間を、第１構成よりもさらに短縮できるデジタル放送受信機を提供することが可能となる。
【００２５】
例えば、デジタル放送受信機のバッファ蓄積判定部が切換前と切換後の映像・音声データを同時に蓄積する条件として、切換後のＩフレームやＩＤＲフレーム、ＡＤＴＳヘッダ等の所定のデータの受信することを条件とするとともに、デコード継続判定部が映像・音声のデコード、出力停止の判定をする条件として、切換前の映像・音声データを蓄積している映像・音声バッファが空になることを条件とすることが好ましい。
【００２６】
また、デジタル放送受信機のバッファ蓄積判定部が切換前と切換後の映像・音声データを同時に蓄積する条件、デコード継続判定部が映像・音声のデコード、出力停止の判定をする条件として、どちらもＳＴＣが切換後のＩフレームやＩＤＲフレーム、ＡＤＴＳヘッダ等の所定のデータのデコードに要する時間をＰＴＳから差し引いた時刻を越えることを条件としてもよい。
【発明の効果】
【００２７】
以上のとおり、本発明によれば、デジタル放送受信機が一つのデコーダしか持たなくても、階層切換の際に映像・音声の出力が停止される時間を短縮できる、という効果が得られる。
【発明を実施するための最良の形態】
【００２８】
（実施の形態１）
図１は、本発明の実施の形態１におけるデジタル放送受信機の構成図である。図１において、１００はデジタル放送受信機、１０１はデジタル放送受信部、１０２はトランスポートデコード部、１０３は映像／音声データ検出部、１０４は映像バッファ、１０５は音声バッファ、１０６は映像デコーダ、１０７は音声デコーダ、１０８は映像出力部、１０９は音声出力部、１１０は階層切換判定部、１１１はシステム制御部、１１２はシステム制御部１１１に含まれるデコード継続判定部である。
【００２９】
図２は、実施の形態１のデジタル放送受信機が階層切換する際の映像切換のフローチャートである。
【００３０】
図１、２を用いて、高階層から低階層への映像の階層切換動作について説明する。
【００３１】
デジタル放送受信機１００は高階層サービスをデコードしながら（２０１）、常時デジタル放送受信部１０１で受信状態に関する情報をモニターし（２０２）、階層切換判定部１１０へ送っている。受信状態に関する情報とは、例えば、受信レベルやＣ／Ｎ比、ビットエラーレートなどが挙げられる。階層切換判定部１１０は受信状態に関する情報から受信状態が悪くなったと判定した場合（２０３）、低階層へ階層切換をするようシステム制御部１１１に指示を出す。
【００３２】
デコード継続判定部１１２は、システム制御部１１１が高階層から低階層への階層切換の指示を受けた場合に、切換前の高階層サービスの映像デコード継続をすると判定する。よって、システム制御部１１１は高階層から低階層への階層切換の指示を受けた場合であっても、映像デコーダ１０６にデコード停止、映像出力部１０８に映像出力停止を指示せず、一方でトランスポートデコード部１０２に切換前の高階層サービスの映像パケットを出力する設定から、切換後の低階層サービスの映像パケットを出力する設定へ変更を指示する（２０４）。また、切換前の高階層サービスの映像データを映像バッファ１０４に蓄積する設定から、切換後の低階層サービスの映像データを蓄積する設定へ変更する（２０５）。
【００３３】
トランスポートデコード部１０２の映像／音声データ検出部１０３は、切換後の低階層サービスの映像データからＩＤＲフレームを検出する（２０７）。ＩＤＲフレームを検出した場合は、検出したことをシステム制御部１１１へ通知すると共に、ＩＤＲフレームのＰＴＳを映像データから取得する（２０８）。
【００３４】
映像／音声データ検出部１０３がＩＤＲフレームを検出したことの通知を受けたシステム制御部１１１のデコード継続判定部１１２は、ここで映像デコード停止及び映像出力停止の判定をする。この際には、システム制御部１１１は映像デコーダ１０６に切換前の高階層サービスの映像デコード停止を指示し、映像出力部１０８に映像出力停止を指示する（２０９）。
【００３５】
その後、切換後の低階層サービスの映像デコード開始を指示し（２１０）、ＳＴＣがＩＤＲフレームのＰＴＳを超えたら（２１１）、映像出力部１０８にＩＤＲフレームの映像出力開始を指示する（２１２）。その後、低階層サービスの映像デコードを継続する（２１３）。
【００３６】
図７（ｃ）は、本発明の実施の形態１におけるデジタル放送受信機の階層切換の時間短縮効果を時間軸で表現したものである。
【００３７】
このように、実施の形態１におけるデジタル放送受信機は、高階層から低階層へ切り換えに際して、切換前の映像デコード、映像出力を階層切換判定後も継続し、切換後に低階層のＩＤＲフレームを検出してから映像デコード停止及び映像出力停止させることで、階層切換の際に映像・音声の出力が停止される時間を短縮できる。
【００３８】
上記実施の形態１は、高階層から低階層への映像の階層切換動作に関する説明であるが、低階層から高階層への切換もＩＤＲフレームをＭＰＥＧ−２  ＶｉｄｅｏのＩフレームに置き換えれば全く同様の手順で同様の効果が得られる。さらに、音声の階層切換もＩＤＲフレームをＡＤＴＳヘッダに置き換えれば全く同様の手順で同様の効果が得られる。
【００３９】
（実施の形態２）
実施の形態２では、構成を示すブロック図は実施の形態１と同様に図１である。
【００４０】
図３は、実施の形態２のデジタル放送受信機が階層切換する際の映像切換のフローチャートである。
【００４１】
図１、３を用いて、高階層から低階層への映像の階層切換動作について説明する。
【００４２】
デジタル放送受信機１００が高階層サービスをデコードしている状態（３０１）から、システム制御部１１１がトランスポートデコード部１０２に切換前の高階層サービスの映像データを映像バッファ１０４蓄積する設定から、切換後の低階層サービスの映像データを蓄積する設定に変更する（３０５）ところまでは実施の形態１と共通である。
【００４３】
その後、映像デコーダ１０６は、映像バッファ１０４に蓄積されていた切換前の映像データが空になったことを検出した場合（３０６）、切換前の映像データが空になったことをシステム制御部１１１へ通知する。通知を受けたシステム制御部１１１のデコード継続判定部１１２は、映像デコード停止及び映像出力停止の判定をする。システム制御部１１１は映像デコーダ１１６に切換前の高階層サービスの映像デコード停止を指示し、映像出力部１０８に映像出力停止を指示する（３０７）。
【００４４】
トランスポートデコード部１０２の映像／音声データ検出部１０３は、切換後の低階層サービスの映像データからＩＤＲフレームを検出した、もしくはすでに検出していた場合（３０８）、検出したことをシステム制御部１１１へ通知すると共に、ＩＤＲフレームのＰＴＳを映像データから取得する（３０９）。通知を受けたシステム制御部１１１は、切換後の低階層サービスの映像デコード開始を指示し（３１０）、ＳＴＣがＩＤＲフレームのＰＴＳを超えたら（３１１）、映像出力部１０８にＩＤＲフレームの映像出力開始を指示する（３１２）。その後、低階層サービスの映像デコードを継続する（３１３）。
【００４５】
図７（ｄ）は、本発明の実施の形態２におけるデジタル放送受信機の階層切換の時間短縮効果を時間軸で表現したものである。
【００４６】
このように、実施の形態２におけるデジタル放送受信機は、高階層から低階層へ切り換えに際して、切換前の映像デコード、映像出力を階層切換判定後も継続し、映像バッファに蓄積されていた切換前の映像データが空になったことを検出してから映像デコード停止及び映像出力停止させることで、階層切換の際に映像・音声の出力が停止される時間を短縮できる。
【００４７】
上記実施の形態２も、低階層から高階層への映像の階層切換、音声の階層切換においても全く同様の手順で同様の効果が得られるのは、実施の形態１と共通である。
【００４８】
（実施の形態３）
図４は、本発明の実施の形態３におけるデジタル放送受信機の構成図である。図４において、図１と異なるところは、映像・音声データを階層切換前、切換後両方とも蓄積できるよう各々２つずつ、映像バッファＡ１０４Ａ、映像バッファＢ１０４Ｂ、音声バッファＡ１０５Ａ、音声バッファＢ１０５Ｂを含んでいることと、システム制御部１１１にバッファ蓄積判定部１１３を含んでいることである。
【００４９】
図５は、実施の形態３のデジタル放送受信機が階層切換する際の映像切換のフローチャートである。
【００５０】
図４、５を用いて、高階層から低階層への映像の階層切換動作について説明する。
【００５１】
デジタル放送受信機１００が高階層サービスをデコードしている状態（５０１）から、システム制御部１１１が階層切換の指示をうけても、映像デコーダ１０６にデコード停止、映像出力部１０８に映像出力停止を指示しないまでは、実施の形態１と共通である。
【００５２】
その後、システム制御部１１１のバッファ蓄積判定部１１３は、切換前、切換後の両方の映像データを処理する必要があると判定する。システム制御部１１１は、トランスポートデコード部１０２に切換前の高階層サービスの映像パケットを出力する設定に加えて、切換後の低階層サービスの映像パケットを出力する設定の追加を指示（５０４）することにより、切換前の高階層サービスの映像データを映像バッファＡ１０４Ａに蓄積する設定に加えて、切換後の低階層サービスの映像データを映像バッファＢ１０４Ｂに蓄積する設定の追加する（５０５）。
【００５３】
トランスポートデコード部１０２の映像／音声データ検出部１０３は、切換後の低階層サービスの映像データからＩＤＲフレームを検出する（５０６）。ＩＤＲフレームを検出した場合は、ＩＤＲフレーム検出したことをシステム制御部１１１へ通知すると共に、ＩＤＲフレームのＰＴＳを映像データから取得する（５０７）。ＩＤＲフレーム検出した通知を受けたシステム制御部１１１のバッファ蓄積判定部１１３は、切換前、切換後の両方の映像データを処理する必要がなくなったと判定する。また、システム制御部１１１は、トランスポートデコード部１０２に切換前、切換後の両方の映像パケットを出力する設定から、切換後の低階層サービスの映像パケットを出力する設定へ変更を指示する（５０８）。その結果、切換前および切換後の両方の映像データを映像バッファＡ１０４Ａと映像バッファＢ１０４Ｂに蓄積する設定から、切換後の低階層サービスの映像データを映像バッファＢ１０４Ｂに蓄積する設定のみへ変更される（５０９）。
【００５４】
映像デコーダ１０６は、映像バッファＡ１０４Ａに蓄積されていた切換前の映像データが空になったことを検出した場合（５１０）、切換前の映像データが空になったことをシステム制御部１１１へ通知する。通知を受けたシステム制御部１１１のデコード継続判定部１１２は、ここで映像デコード停止、映像出力停止の判定をし、システム制御部１１１は映像デコーダ１１６に切換前の高階層サービスの映像デコード停止を指示し、映像出力部１０８に映像出力停止を指示する（５１１）。続いて、切換後の低階層サービスの映像デコード開始を指示し（５１２）、ＳＴＣがＩＤＲフレームのＰＴＳを超えたら（５１３）、映像出力部１０８にＩＤＲフレームの映像出力開始を指示する（５１４）。その後、低階層サービスの映像デコードを継続する（５１５）。
【００５５】
図７（ｅ）は、本発明の実施の形態３におけるデジタル放送受信機の階層切換の時間短縮効果を時間軸で表現したものである。
【００５６】
このように、実施の形態３におけるデジタル放送受信機は、切換前の映像データ蓄積、映像デコード、映像出力を階層切換判定後も継続し、切換後のＩＤＲフレームを検出してから映像データ蓄積を停止させ、映像バッファに蓄積されていた切換前の映像データが空になったことを検出してから映像デコード、映像出力を停止させることで、階層切換の際に映像・音声の出力が停止される時間を短縮できる。
【００５７】
上記実施の形態３も、低階層から高階層への映像の階層切換、音声の階層切換においても全く同様の手順で同様の効果が得られるのは、実施の形態１と共通である。
【００５８】
（実施の形態４）
実施の形態４では、構成を示すブロック図は実施の形態３と同様に図４である。
【００５９】
図６は、実施の形態３のデジタル放送受信機が階層切換する際の映像切換のフローチャートである。
【００６０】
図４、６を用いて、高階層から低階層への映像の階層切換動作について説明する。
【００６１】
デジタル放送受信機１００が高階層サービスをデコードしている状態（６０１）から、映像／音声データ検出部１０３が切換後のＩＤＲフレームを検出して（５０６）ＰＴＳを取得する（６０７）までは、実施の形態３と共通である。
【００６２】
映像デコーダがＩＤＲフレームの映像デコードに要する時間を所定の時間αとすると、ＳＴＣがＩＤＲフレームのＰＴＳからαを減算した時刻を越えたら（６０８）、システム制御部１１１のバッファ蓄積判定部１１３は、切換前、切換後の両方の映像データを処理する必要がなくなったと判定する。この際にはシステム制御部１１１は、トランスポートデコード部１０２に切換前、切換後の両方の映像パケットを出力する設定から、切換後の低階層サービスの映像パケットを出力する設定へ変更を指示する（６０９）。その結果、切換前、切換後の両方の映像データを映像バッファＡ１０４Ａと映像バッファＢ１０４Ｂに蓄積する設定から、切換後の低階層サービスの映像データを映像バッファＢ１０４Ｂに蓄積する設定のみへ変更される（６１０）。
【００６３】
さらに、システム制御部１１１のデコード継続判定部１１２は、この時点で映像デコード停止及び映像出力停止の判定をし、システム制御部１１１は映像デコーダ１１６に切換前の高階層サービスの映像デコード停止を指示し、映像出力部１０８に映像出力停止を指示する（６１１）。続いて、切換後の低階層サービスの映像デコード開始を指示し（６１２）、ＳＴＣがＩＤＲフレームのＰＴＳを超えたら（６１３）、映像出力部１０８にＩＤＲフレームの映像出力開始を指示する（６１４）。その後、低階層サービスの映像デコードを継続する（６１５）。
【００６４】
図７（ｅ）は、本発明の実施の形態４におけるデジタル放送受信機の階層切換の時間短縮効果を時間軸で表現したものである。
【００６５】
このように、実施の形態４におけるデジタル放送受信機は、高階層から低階層の切り換えに際して、切換前の映像データ蓄積、映像デコード、映像出力を階層切換判定後も継続し、ＰＴＳから切換後のＩＤＲフレームの映像デコードに要する時間を減算した時刻になってから切換前の映像データ蓄積、映像デコード及び映像出力を停止させることで、階層切換の際に映像・音声の出力が停止される時間を短縮できる。
【００６６】
上記実施の形態４も、低階層から高階層への映像の階層切換、音声の階層切換においても全く同様の手順で同様の効果が得られるのは、実施の形態１と共通である。
【産業上の利用可能性】
【００６７】
本発明のデジタル放送受信機は、階層切換の際に映像・音声の出力が停止される時間を短縮できる効果を有し、階層切換時もストレスのない継続視聴が可能なデジタル放送受信機として産業上利用可能である。
【図面の簡単な説明】
【００６８】
【図１】本発明の実施の形態１、２におけるデジタル放送受信機の構成図
【図２】本発明の実施の形態１における階層切換のフローチャート
【図３】本発明の実施の形態２における階層切換のフローチャート
【図４】本発明の実施の形態３、４におけるデジタル放送受信機の構成図
【図５】本発明の実施の形態３における階層切換のフローチャート
【図６】本発明の実施の形態４における階層切換のフローチャート
【図７】本発明における階層切換の時間短縮効果を示す図
【図８】従来のデジタル放送受信機の構成図
【図９】従来のデジタル放送受信機の階層切換のフローチャート
【符号の説明】
【００６９】
１００    デジタル放送受信機
１０１    デジタル放送受信部
１０２    トランスポートデコード部
１０３    映像／音声データ検出部
１０４    映像バッファ
１０４Ａ    映像バッファＡ
１０４Ｂ    映像バッファＢ
１０５    音声バッファ
１０５Ａ    音声バッファＡ
１０５Ｂ    音声バッファＢ
１０６    映像デコーダ
１０７    音声デコーダ
１０８    映像出力部
１０９    音声出力部
１１０    階層切換判定部
１１１    システム制御部
１１２    デコード継続判定部
１１３    バッファ蓄積判定部
【図１】
2008278153.tif 000003
【図２】
2008278153.tif 000004
【図３】
2008278153.tif 000005
【図４】
2008278153.tif 000006
【図５】
2008278153.tif 000007
【図６】
2008278153.tif 000008
【図７】
2008278153.tif 000009
【図８】
2008278153.tif 000010
【図９】
2008278153.tif 000011